(57)【要約】【課題】僅かな部品点数で商品取出口を開閉するための扉体を切り換えることができ、設置スペースの自由度を向上させることができる自動販売機を提供すること。【解決手段】前面に開口した商品取出口２４を通じて機内から搬出された商品を取り出し可能な状態にさせる商品取出構造４０を有する自動販売機において、商品取出構造４０は、前方に向けて開扉動作して商品取出口２４を開成状態にする一方、機内側に向けて閉扉動作して商品取出口２４を閉成状態にする商品取出口扉６１と、機内側に向けて開扉動作して商品取出口２４を開成状態にする一方、前方に向けて閉扉動作して商品取出口２４を閉成状態にする商品取出口扉６２とのうち択一的に選択された一方を動作可能に支持するホルダ４７を備えたものである。【選択図】        図４
2006053638.tif 000002
【特許請求の範囲】
【請求項１】
前面に開口した商品取出口を通じて機内から搬出された商品を取り出し可能な状態にさせる商品取出構造を有する自動販売機において、
前記商品取出構造は、
前方に向けて開扉動作して前記商品取出口を開成状態にする一方、機内側に向けて閉扉動作して前記商品取出口を閉成状態にする第１扉体と、機内側に向けて開扉動作して前記商品取出口を開成状態にする一方、前方に向けて閉扉動作して前記商品取出口を閉成状態にする第２扉体とのうち択一的に選択された一方を動作可能に支持する支持部材を備えたことを特徴とする自動販売機。
【請求項２】
前記支持部材は、
前記第１扉体および前記第２扉体のそれぞれの上端両側部に形成されたカール状の軸部を挿通させる孔部を備えて成り、
該孔部に前記軸部を挿通させて前記第１扉体および前記第２扉体のうち択一的に選択された一方を揺動可能に支持することを特徴とする請求項１に記載の自動販売機。
【請求項３】
前記商品取出構造は、前記第１扉体に制動力を付与して該第１扉体の閉扉動作の速度を規制するダンパ部材を備えたことを特徴とする請求項１または請求項２に記載の自動販売機。
【請求項４】
前記商品取出構造は、前記第２扉体に付勢力を付与して該第２扉体の閉扉動作を付勢することにより、開成状態の商品取出口を閉成状態に復帰させる復帰バネ部材を備えたことを特徴とする請求項１〜３のいずれか一つに記載の自動販売機。
【発明の詳細な説明】
【技術分野】
【０００１】
本発明は、自動販売機に関し、より詳細には、前面に開口した商品取出口を通じて機内から搬出された商品を取り出し可能な状態にさせる商品取出構造の改良に関する。
【背景技術】
【０００２】
一般に、例えば缶入り飲料、瓶入り飲料およびペットボトル入り飲料等の各種商品を販売する自動販売機は、前面に開口した商品取出口を通じて機内から搬出された商品を取り出し可能な状態にさせる商品取出構造を有している。
【０００３】
商品取出構造は、図１０に示したように、底板４３０と、天板４４０と、一対の側板４２０とを備えて構成されている。底板４３０は、一対の側板４２０間の下部に配設されており、商品Ｗを収容する商品収容庫４００ａ，４００ｂ，４００ｃから搬出された商品Ｗを載置するためのものである。この底板４３０は、前縁部分が商品取出口２４０の下縁部分に化粧枠材４８０を介して固定されている。天板４４０は、一対の側板４２０間の上部に配設されており、締結手段を介して自動販売機の外扉２００に固定されている。この天板４４０は、商品取出口２４０を開閉するための商品取出口扉６１０を揺動可能に支持するものである。より詳細に説明すると、天板４４０は、商品取出口扉６１０の上端部を揺動可能に支持しており、該商品取出口扉６１０の下端部を前方（機外側）に向けて揺動させることで商品取出口２４０が開成状態になる態様で、すなわち該商品取出口扉６１０が外開き式扉となる態様で支持してある（例えば、特許文献１参照）。
【０００４】
そのような構成の自動販売機の商品取出構造は、利用者が商品取出口扉６１０を前方に向けて揺動させて商品取出口２４０を開成状態にすることにより、底板４３０上に載置された商品Ｗを機外に取り出し可能な状態にさせることができる。
【０００５】
一方、図示はしないが、上記天板４４０の他の例として、商品取出口扉の上端部を揺動可能に支持し、該商品取出口扉の下端部を後方（機内側）に向けて揺動させることで商品取出口が開成状態になる態様で、すなわち該商品取出口扉が内開き式扉となる態様で支持しているものもある（例えば、特許文献２参照）。
【０００６】
そのような構成の自動販売機の商品取出構造は、利用者が商品取出口扉を機内側に向けて揺動させて商品取出口を開成状態にすることにより、底板上に載置された商品を機外に取り出し可能な状態にさせることができる。
【０００７】
【特許文献１】特開平１０−０８３４７８号公報
【特許文献２】特開平１０−２５５１２９号公報
【発明の開示】
【発明が解決しようとする課題】
【０００８】
ところが、上記自動販売機の商品取出構造では、天板が商品取出口扉を直接揺動可能に支持しているため、外開き式扉として支持している商品取出口扉を内開き式扉に切り換える場合には、天板の構成を変更する必要があり、僅かな部品点数で容易に切り換えることが困難である。また、内開き式扉として支持している商品取出口扉を外開き式扉に切り換える場合も同様に僅かな部品点数で容易に切り換えることが困難である。従って、自動販売機の設置スペースによっては、商品取出口扉が外開き式扉よりも内開き式扉の方が好ましい場合もあるが、上述のように切り換えが困難であるために、結果的に自動販売機の設置スペースの自由度を制限してしまうことになっていた。
【０００９】
本発明は、上記実情に鑑みて、僅かな部品点数で商品取出口を開閉するための扉体を切り換えることができ、設置スペースの自由度を向上させることができる自動販売機を提供することを目的とする。
【課題を解決するための手段】
【００１０】
上記目的を達成するために、本発明の請求項１に係る自動販売機は、前面に開口した商品取出口を通じて機内から搬出された商品を取り出し可能な状態にさせる商品取出構造を有する自動販売機において、前記商品取出構造は、前方に向けて開扉動作して前記商品取出口を開成状態にする一方、機内側に向けて閉扉動作して前記商品取出口を閉成状態にする第１扉体と、機内側に向けて開扉動作して前記商品取出口を開成状態にする一方、前方に向けて閉扉動作して前記商品取出口を閉成状態にする第２扉体とのうち択一的に選択された一方を動作可能に支持する支持部材を備えたことを特徴とする。
【００１１】
また、本発明の請求項２に係る自動販売機は、上記請求項１において、前記支持部材は、前記第１扉体および前記第２扉体のそれぞれの上端両側部に形成されたカール状の軸部を挿通させる孔部を備えて成り、該孔部に前記軸部を挿通させて前記第１扉体および前記第２扉体のうち択一的に選択された一方を揺動可能に支持することを特徴とする。
【００１２】
また、本発明の請求項３に係る自動販売機は、上記請求項１または上記請求項２において、前記商品取出構造は、前記第１扉体に制動力を付与して該第１扉体の閉扉動作の速度を規制するダンパ部材を備えたことを特徴とする。
【００１３】
また、本発明の請求項４に係る自動販売機は、上記請求項１〜３のいずれか一つにおいて、前記商品取出構造は、前記第２扉体に付勢力を付与して開成状態の商品取出口を閉成状態にさせるための復帰バネ部材を備えたことを特徴とする。
【発明の効果】
【００１４】
本発明の自動販売機によれば、支持部材が、前方に向けて開扉動作して商品取出口を開成状態にする一方、機内側に向けて閉扉動作して商品取出口を閉成状態にする第１扉体と、機内側に向けて開扉動作して商品取出口を開成状態にする一方、前方に向けて閉扉動作して商品取出口を閉成状態にする第２扉体とのうち択一的に選択された一方を動作可能に支持するので、僅かな部品点数で扉体を容易に切り換えることができ、これにより、設置スペースの自由度を向上させることができるという効果を奏する。
【発明を実施するための最良の形態】
【００１５】
以下に添付図面を参照して、本発明に係る自動販売機の好適な実施の形態を詳細に説明する。
【００１６】
図１〜図３は、それぞれ本発明の実施の形態に係る自動販売機を示したものであり、図１は正面図、図２は図１に示した自動販売機の内部を開放した状態の斜視図、図３は図１に示した自動販売機の断面側面図である。これら図１〜図３において、自動販売機は、缶入り飲料やペットボトル入り飲料等の商品を販売するためのもので、本体キャビネット１、外扉２および断熱扉３を備えている。
【００１７】
本体キャビネット１は、前面が開口した直方状の断熱筐体として形成したものであり、その内部には、複数の独立した商品収容庫４ａ，４ｂ，４ｃが左右に並設してある。これら商品収容庫４ａ，４ｂ，４ｃは、商品Ｗを所望の温度に維持した状態で収容するためのものである。各商品収容庫４ａ，４ｂ，４ｃには、商品Ｗを収納する商品収納ラック５ａ，５ｂ，５ｃが配設してある一方、シュータ６によって区画される下方部に熱交換器が配設してあり、該熱交換器の駆動により、商品収納ラック５ａ，５ｂ，５ｃに収納された商品Ｗを所望の冷却温度、あるいは加熱温度に維持することが可能である。より詳細に説明すると、例えば正面向かって左側に位置する商品収容庫４ａが冷却専用としてある場合には、図３に示したように、熱交換器として冷却ユニットの蒸発器７、並びに庫内ファン８や庫内ファン用モータ９を備える。これに対して、例えば中央に位置する商品収容庫４ｂおよび正面向かって右側に位置する商品収容庫４ｃが冷却／加熱切り換え可能としてある場合には、図３に示したような熱交換器として冷却ユニットの蒸発器７、並びに庫内ファン８や庫内ファン用モータ９に加えてヒータ１０を備える。
【００１８】
本体キャビネット１の内部において、上記商品収容庫４ａ，４ｂ，４ｃの下方となる位置には機械室１１が設けてある。機械室１１は、商品収容庫４ａ，４ｂ，４ｃのそれぞれで共通に使用する機械部品を収容するためのものである。具体的には、圧縮機１２、凝縮器１３、膨張器１４といった冷却ユニットの構成物品、並びに庫外ファン１５や庫外ファン用モータ１６が配設してある。膨張器１４から各商品収容庫４ａ，４ｂ，４ｃに配設した蒸発器７に至る冷媒供給管には、駆動する蒸発器７を選択するための電磁バルブ１７が個別に設けてある。
【００１９】
外扉２は、本体キャビネット１の前面開口を覆うに十分な大きさを有したもので、鋼材により堅牢に構成してあり、本体キャビネット１の一側縁部に支承してある。この外扉２には、その前面（外面）側にディスプレイウィンドウ１８、商品選択ボタン１９、硬貨投入口２０、紙幣挿入口２１、表示器２２、硬貨返却口２３、商品取出口２４が設けてある。一方、その後面（内面）側には、硬貨処理機２７、硬貨回収箱２８、紙幣処理機２９、ディスプレイドア３０が設けてある。
【００２０】
ディスプレイウィンドウ１８は、外扉２の内部に配置した商品見本２５および電照板２６を利用者に視認させるための窓である。商品選択ボタン１９は、利用者が購入商品を選択するための押ボタンスイッチである。硬貨投入口２０は、利用者が硬貨を投入するための開口である。この硬貨投入口２０を通じて投入された硬貨は、硬貨処理機２７においてその金種が識別され、その後、硬貨回収箱２８に収容されることになる。紙幣挿入口２１は、利用者が紙幣を挿入するための開口である。この紙幣挿入口２１を通じて挿入された紙幣は、紙幣処理機２９においてその金種が識別されることになる。また上記紙幣挿入口２１は、紙幣処理機２９において識別できなかった紙幣を返却するための機能を有している。表示器２２は、貨幣の投入金額、販売中であるか否か、釣銭があるか否か等、各種情報を利用者に表示するためのものである。硬貨返却口２３は、硬貨処理機２７において識別できなかった硬貨、あるいは釣銭となる硬貨を利用者に返却するための開口である。商品取出口２４は、商品収納ラック５ａ，５ｂ，５ｃから搬出された商品Ｗを利用者が取り出すための開口である。ディスプレイドア３０は、商品見本２５および電照板２６を配置するためのものである。
【００２１】
断熱扉３は、本体キャビネット１の商品収容庫４ａ，４ｂ，４ｃの前面の開口を覆うに十分な大きさを有したもので、鋼材によって断熱性を備えて構成してある。図示の例では、断熱扉３を上下に分割してそれぞれを個別に開閉できるように構成してある。この断熱扉３は、商品収容庫４ａ，４ｂ，４ｃの前面開口を密閉状態に閉塞することによって商品収容庫４ａ，４ｂ，４ｃの内部を外部から断熱する。
【００２２】
上側の断熱扉３ａは、外扉２の後面側に取り付けてあり、当該外扉２とともに開閉動作する。この断熱扉３ａは、外扉２の閉塞に伴って商品収納ラック５ａ，５ｂ，５ｃの商品投入口であって商品収容庫４ａ，４ｂ，４ｃの前面開口の上部領域を開放する。そして、断熱扉３ａによって商品収納ラック５ａ，５ｂ，５ｃの商品投入口を開放したときには、商品投入口からの商品Ｗの補充作業を行うことができる。
【００２３】
下側の断熱扉３ｂは、一側端がヒンジを介して本体キャビネット１側に取り付けられ、他側端が商品収容庫４ａ，４ｂ，４ｃの前面開口に対して開閉移動する開閉端となす片開き式として構成してある。この断熱扉３ｂは、その閉塞時に商品収容庫４ａ，４ｂ，４ｃの前面開口の下部領域を閉塞する一方、その開放時に商品収容庫４ａ，４ｂ，４ｃの前面開口の下部領域を開放する。また、断熱扉３ｂには、シュータ６を通じて搬出された商品Ｗの搬出口３１が各商品収容庫４ａ，４ｂ，４ｃに応じて設けてあるとともに、該搬出口３１を開閉するための商品搬出口扉３２が設けてある。
【００２４】
上記自動販売機は、次のような商品取出構造を有している。図４〜図９は、それぞれ商品取出構造の構成を模式的に示したものである。これら図４〜図９において、商品取出構造４０は、外扉２の商品取出口２４の後面側に形成してあり、商品受部４１と、緩衝材４５と、防盗フラッパ４６と、一対のホルダ（支持部材）４７とを備えて構成してある。
【００２５】
商品受部４１は、商品取出口２４を後面側から臨む態様で配設してあり、商品収納ラック５ａ，５ｂ，５ｃからシュータ６を通じて搬出された商品Ｗを受容するためのものである。この商品受部４１は、一対の側板４２と、底板４３と、天板４４とから構成してある。
【００２６】
一対の側板４２は、左右に対向して立設してあり、商品受部４１の側部内壁を成すものである。この一対の側板４２は、図には明示していないが、それぞれの前縁部分が締結手段により外扉２の後面に固着してある。底板４３は、一対の側板４２の間の下部側に設けてあり、商品受部４１の下部内壁を成すものである。この底板４３は、その断面が下方に向かって突となる湾曲形状を成し、前縁部分が商品取出口２４の下縁部分に設けた化粧枠材４８に固定してある。また、底板４３は、かかる湾曲形状により凹所４９を形成してある。凹所４９は、搬出された商品Ｗの最大径（最大幅）よりも大きいものである。天板４４は、一対の側板４２の間の上部側に設けてあり、商品受部４１の上部内壁を成すものである。この天板４４は、上方に伸びる態様の係合片５０が延設してあり、該係合片５０に形成された貫通孔（図示せず）を貫通する締結ネジ等の締結手段によって外扉２の後面に固着してある。また、図５および図６に示したように、天板４４の中央部には、後述する商品取出口扉６１，６２を支持するための軸受５１が設けてある。
【００２７】
緩衝材４５は、例えば発泡ポリウレタン等の弾性材より形成したものであり、クッション材としての機能を発揮するものである。この緩衝材４５は、底板４３の湾曲形状の上面に敷設してある。
【００２８】
防盗フラッパ４６は、商品受部４１の内部における一対の側板４２の間において、前後方向に沿って揺動可能に配設してある。より詳細に説明すると、防盗フラッパ４６は、基端側に係合部４６ａ、先端側に折曲部４６ｂを備えてあり、係合部４６ａが、商品受部４１の天板４４に形成した係止片４４ａの係止ピン４４ｂに係合して、前後方向に沿って揺動可能に配設してある。ここに、係合部４６ａは、後方側に湾曲して成り、係止ピン４４ｂと着脱可能になっている。
【００２９】
一対のホルダ４７は、それぞれ商品取出口２４を開閉するための商品取出口扉６１，６２を支持するものであり、それぞれ左右に一対となる態様で図示しない締結手段により天板４４の係合部４６ａの前面に着脱可能に配設してある。該ホルダ４７には、左右方向に沿って支持孔（孔部）４７ａが形成してある。支持孔４７ａは、商品取出口扉６１，６２を揺動可能に支持するためのものである。
【００３０】
より詳細に説明すると、商品取出口扉６１，６２には、図６に示したように、前方に向けて突となる態様で屈曲した商品取出口扉（第１扉体）６１と、後方に向けて突となる態様で湾曲した商品取出口扉（第２扉体）６２の二つのタイプがあり、それぞれの商品取出口扉６１，６２には、上端部にカール状部分６１ａ，６２ａが形成してある。それらカール状部分６１ａ，６２ａのうち商品取出口扉６１，６２の上端両側部から突出する部分（以下、カール状軸状部ともいう）６１ｂ，６２ｂを支持孔４７ａに挿通させることにより、ホルダ４７は、該商品取出口扉６１，６２を前後方向に沿って揺動可能に支持することできる。また、商品取出口扉６１，６２の中央部分には、軸受孔６１ｃ，６２ｃが形成してあり、該軸受孔６１ｃ，６２ｃを上記軸受５１が挿通して該商品取出口扉６１，６２を支持している。
【００３１】
図４および図５に示した商品取出構造４０では、ホルダ４７は、商品取出口扉６１の下端部を前方（機外側）に向かって揺動（開扉動作）させることで商品取出口２４が開成状態になる一方、該下端部を後方（機内側）に向かって揺動（閉扉動作）させることで商品取出口２４が閉成状態になる態様で、すなわち該商品取出口扉６１が外開き式扉となる態様で支持してある。また、図７に示したように、上記商品取出口扉６１を支持する際に、左側のホルダ４７には、ダンパ部材６３が図示しない締結手段により取り付けてある。ダンパ部材６３は、商品取出口扉６１に制動力を付与して該商品取出口扉６１の閉扉動作の速度を規制するためのものである。
【００３２】
一方、図８および図９に示した商品取出構造４０では、ホルダ４７は、商品取出口扉６２の下端部を後方（機内側）に向かって揺動（開扉動作）させることで商品取出口２４が開成状態になる一方、該下端部を前方（機外側）に向かって揺動（閉扉動作）させることで商品取出口２４が閉成状態になる態様で、すなわち該商品取出口扉６２が内開き式扉となる態様で支持してある。また、図には明示していないが、上記商品取出口扉６２を支持する際に、右側のホルダ４７の支持孔４７ａから突出する該商品取出口扉６２の右側のカール状軸状部６２ｂには、コイルスプリング（復帰バネ部材）６４が、一端が該商品取出口扉６２に係合し、他端が天板４４に係合した態様で巻回してある。このコイルスプリング６４は、商品取出口扉６２に付勢力を付与して該商品取出口扉６２の閉扉動作を付勢することにより、開成状態の商品取出口２４を閉成状態に復帰させるものである。
【００３３】
以上のような構成を有する自動販売機では、次のようにして商品取出口扉６１，６２の切り換えを行うことができる。ここでは、外開き式扉である商品取出口扉６１を内開き式扉６２に切り換える場合について説明する。
【００３４】
まず、外扉２を開放して、外扉２から締結ネジ等の締結手段で固着していた商品受部４１を取り外し、左右一対のホルダ４７をそれぞれ天板４４の係合部４６ａから取り外す。このとき、商品取出口扉６１もホルダ４７ととともに取り外すことになる。また、商品取出口扉６１が軸受５１により支持されていた状態も解除されることになる。次に、ホルダ４７から商品取出口扉６１を取り外す。具体的には、カール状軸状部６１ｂを支持孔４７ａから引き抜く。そして、左側ホルダ４７に取り付けられていたダンパ部材６３も取り外す。
【００３５】
一方、次に装着する商品取出口扉６２のカール状軸状部６２ｂをホルダ４７の支持孔４７ａに挿通させて、該商品取出口扉６２をホルダ４７に取り付ける。このとき、右側のホルダ４７の支持孔４７ａから突出したカール状軸状部６２ｂにコイルスプリング６４を装着する。次に、商品取出口扉６２を取り付けた左右のホルダ４７を締結手段により天板４４の係合部４６ａに配設する。このとき、コイルスプリング６４の一端が商品取出口扉６２に係合し、他端が天板４４に係合するよう調整する。またこのとき、商品取出口扉６２の軸受孔６２ｃに軸受５１を挿通させ、該商品取出口扉６２のカール状部分６２ａを軸受５１に支持させる。そして、ホルダ４７を配設した商品受部４１を再び締結手段により外扉２に取り付け、該外扉２を閉塞させる。これにより、商品取出口扉６２への切り換えは完了する。
【００３６】
このように切り換えた商品取出口扉（内開き式扉）６２を外開き式扉６１に切り換える場合には、上記手順の逆を行えば良い。その際、左側のホルダ４７にダンパ部材６３を取り付ける。
【００３７】
上記説明から明らかなように、商品取出構造４０を構成するホルダ４７は、共通の部品として、二つのタイプの商品取出口扉６１，６２のうち択一的に選択された一方を揺動可能に支持することができる。
【００３８】
従って、上記構成を有する自動販売機によれば、ホルダ４７が、二つのタイプの商品取出口扉６１，６２のうち択一的に選択された一方を揺動可能に支持することができるので、僅かな部品点数で商品取出口扉６１，６２を容易に切り換えることができ、これにより、設置スペースの自由度を向上させることができる。
【００３９】
また、上記自動販売機によれば、商品取出口扉（外開き式扉）６１の場合に、ダンパ部材６３が商品取出口扉６１に制動力を付与して該商品取出口扉６１の閉扉動作の速度を規制するので、利用者が商品Ｗを取り出す際に該商品取出口扉６１が干渉することを抑制することができる。
【００４０】
更に、上記自動販売機によれば、商品取出口扉（内開き式扉）６２の場合に、コイルスプリング６４が、商品取出口扉６２に付勢力を付与して該商品取出口扉６２の閉扉動作を付勢することにより、開成状態の商品取出口２４を閉成状態に復帰させるので、塵や埃等が必要以上に商品取出口２４を通じて機内に侵入することを抑制することができる。
【産業上の利用可能性】
【００４１】
以上のように、本発明に係る自動販売機は、例えば缶入り飲料、瓶入り飲料およびペットボトル入り飲料等の各種商品を販売するのに有用である。
【図面の簡単な説明】
【００４２】
【図１】本発明の実施の形態に係る自動販売機を示した正面図である。
【図２】図１に示した自動販売機の内部を開放した状態の斜視図である。
【図３】図１に示した自動販売機の断面側面図である。
【図４】図１に示した自動販売機を構成する商品取出構造の構成を模式的に示した拡大断面側面図である。
【図５】図４に示した商品取出構造の斜視図である。
【図６】図１に示した自動販売機を構成する商品取出構造の分解斜視図である。
【図７】図６の一部を拡大して示した拡大斜視図である。
【図８】図１に示した自動販売機を構成する商品取出構造の構成を模式的に示した拡大断面側面図である。
【図９】図８に示した商品取出構造の斜視図である。
【図１０】従来の自動販売機の商品取出構造を模式的に示した拡大断面側面図である。
【符号の説明】
【００４３】
２４    商品取出口
４０    商品取出構造
４１    商品受部
４２    側板
４３    底板
４４    天板
４５    緩衝材
４６    防盗フラッパ
４７    ホルダ
４７ａ    支持孔
４８    化粧枠材
４９    凹所
５０    係合片
５１    軸受
６１，６２    商品取出口扉
６１ａ，６２ａ    カール状部分
６１ｂ，６２ｂ    カール状軸状部
６１ｃ，６２ｃ    軸受孔
６３    ダンパ部材
６４    コイルスプリング
【図１】
2006053638.tif 000003
【図２】
2006053638.tif 000004
【図３】
2006053638.tif 000005
【図４】
2006053638.tif 000006
【図５】
2006053638.tif 000007
【図６】
2006053638.tif 000008
【図７】
2006053638.tif 000009
【図８】
2006053638.tif 000010
【図９】
2006053638.tif 000011
【図１０】
2006053638.tif 000012